(57)【要約】【課題】映像の光量を維持しつつ、クロストークを容易に抑制させる。【解決手段】立体映像表示装置１１０は、右眼用映像と左眼用映像とを交互に表示する映像表示部１５６と、シャッタ眼鏡１２０の左右のシャッタそれぞれの開閉タイミングを制御する制御信号を出力する制御出力部１５８と、制御信号に基づく、シャッタ眼鏡の左右のシャッタ両方を閉とする完全遮光期間Ｐｓに渡って発光部１６２を発光させる発光制御部１６０とを備え、シャッタ眼鏡は、右眼用シャッタ２２８と、左眼用シャッタ２３０と、取得された制御信号に応じて右眼用シャッタおよび左眼用シャッタの開閉タイミングを制御するシャッタ制御部２２２と、ユーザ操作に応じて、シャッタ制御部によって制御される開閉タイミングのオフセットを設定するオフセット設定部２２６と、を備える。【選択図】図７
2012231212.tif 000002
【特許請求の範囲】
【請求項１】
立体映像を知覚させる立体映像表示装置と、前記立体映像を知覚する際にユーザが装着するシャッタ眼鏡とを備える立体映像表示システムであって、
前記立体映像表示装置は、
水平視差を有する右眼用映像と左眼用映像とを交互に表示する映像表示部と、
前記シャッタ眼鏡の左右のシャッタそれぞれの開閉タイミングを制御する制御信号を出力する制御出力部と、
前記制御信号に基づく、前記シャッタ眼鏡の左右のシャッタ両方を閉とする完全遮光期間に渡って発光部を発光させる発光制御部と、
を備え、
前記シャッタ眼鏡は、
ユーザが前記シャッタ眼鏡を装着した場合、前記ユーザの右眼の前方に位置して光路を開閉する右眼用シャッタと、
ユーザが前記シャッタ眼鏡を装着した場合、前記ユーザの左眼の前方に位置して光路を開閉する左眼用シャッタと、
前記制御信号を取得する制御取得部と、
取得された前記制御信号に応じて前記右眼用シャッタおよび前記左眼用シャッタの開閉タイミングを制御するシャッタ制御部と、
ユーザ操作に応じて、前記シャッタ制御部によって制御される前記開閉タイミングのオフセットを設定するオフセット設定部と、
を備えることを特徴とする立体映像表示システム。
【請求項２】
立体映像を知覚させる立体映像表示装置と、前記立体映像を知覚する際にユーザが装着するシャッタ眼鏡とを備える立体映像表示システムであって、
前記立体映像表示装置は、
水平視差を有する右眼用映像と左眼用映像とを交互に表示する映像表示部と、
前記シャッタ眼鏡の左右のシャッタそれぞれの開閉タイミングを制御する制御信号に基づく、前記シャッタ眼鏡の左右のシャッタ両方を閉とする完全遮光期間に渡って発光部を発光させ、さらに、前記発光させた光に前記制御信号を含ませる発光制御部と、
を備え、
前記シャッタ眼鏡は、
ユーザが前記シャッタ眼鏡を装着した場合、前記ユーザの右眼の前方に位置して光路を開閉する右眼用シャッタと、
ユーザが前記シャッタ眼鏡を装着した場合、前記ユーザの左眼の前方に位置して光路を開閉する左眼用シャッタと、
前記発光部が発光する光を受光して検知する受光検知部と、
検知された前記光に基づいて前記制御信号を導出する制御導出部と、
導出された前記制御信号に応じて前記右眼用シャッタおよび前記左眼用シャッタの開閉タイミングを制御するシャッタ制御部と、
ユーザ操作に応じて、前記シャッタ制御部によって制御される前記開閉タイミングのオフセットを設定するオフセット設定部と、
を備えることを特徴とする立体映像表示システム。
【請求項３】
水平視差を有する右眼用映像と左眼用映像とを交互に表示する映像表示部と、
シャッタ眼鏡の左右のシャッタそれぞれの開閉タイミングを制御する制御信号を出力する制御出力部と、
前記制御信号に基づく、前記シャッタ眼鏡の左右のシャッタ両方を閉とする完全遮光期間に渡って発光部を発光させる発光制御部と、
を備えることを特徴とする立体映像表示装置。
【請求項４】
水平視差を有する右眼用映像と左眼用映像とを交互に表示する映像表示部と、
シャッタ眼鏡の左右のシャッタそれぞれの開閉タイミングを制御する制御信号に基づく、前記シャッタ眼鏡の左右のシャッタ両方を閉とする完全遮光期間に渡って発光部を発光させ、さらに、発光させた光に前記制御信号を含ませる発光制御部と、
を備えることを特徴とする立体映像表示装置。
【請求項５】
水平視差を有する右眼用映像と左眼用映像とを交互に表示し、
シャッタ眼鏡の左右のシャッタそれぞれの開閉タイミングを制御する制御信号を出力し、
前記制御信号に基づく、前記シャッタ眼鏡の左右のシャッタ両方を閉とする完全遮光期間に渡って発光部を発光させることを特徴とする立体映像表示方法。
【請求項６】
水平視差を有する右眼用映像と左眼用映像とを交互に表示し、
シャッタ眼鏡の左右のシャッタそれぞれの開閉タイミングを制御する制御信号に基づく、前記シャッタ眼鏡の左右のシャッタ両方を閉とする完全遮光期間に渡って発光部を発光させ、さらに、発光させた光に前記制御信号を含めることを特徴とする立体映像表示方法。
【発明の詳細な説明】
【技術分野】
【０００１】
本発明は、シャッタ眼鏡を通して立体映像を知覚させる立体映像表示システム、立体映像表示装置および立体映像表示方法に関する。
【背景技術】
【０００２】
近年、映像表示部に、両眼視差のある左右２つの映像データ（右眼用映像データおよび左眼用映像データ）の映像を所定のフレーム周期で交互に表示し、シャッタ眼鏡を装着したユーザに対して立体映像を知覚させる立体映像技術が脚光を浴びている。
【０００３】
シャッタ眼鏡は、映像データの所定のフレーム周期と同期して開閉する２つのシャッタを有する。そして、映像表示部に右眼用映像が表示されている期間は、右眼用シャッタが開き、左眼用シャッタが閉じる。一方、映像表示部に左眼用映像が表示されている期間は、左眼用シャッタが開き、右眼用シャッタが閉じる。
【０００４】
このシャッタの開閉の周期と、映像表示部に表示される２つの映像データのフレーム周期とを同期させるためには、映像表示装置や映像再生装置から有線通信や赤外線等の無線通信によってシャッタ眼鏡にシャッタの開閉信号を送信させ、シャッタ眼鏡が受信した開閉信号にしたがってシャッタを開閉する手段が考えられる（例えば、特許文献１）。
【先行技術文献】
【特許文献】
【０００５】
【特許文献１】特開平６−１７８３２５号公報
【発明の概要】
【発明が解決しようとする課題】
【０００６】
このようなシャッタ眼鏡を用いた立体映像技術においては、同期処理が適切であっても、個々のデバイスやシャッタ駆動装置等の遅延により、右眼用映像の光の一部がユーザの左眼に、左眼用映像の光の一部がユーザの右眼に入射する、所謂クロストークが発生する場合がある。
【０００７】
このとき、右眼用シャッタと左眼用シャッタの両方を閉じる期間を単に長くすれば、クロストークを防ぐことは可能である。しかし、その分、ユーザの眼に届く光量が減るため映像が暗くなってしまう。この場合、光量を維持するにはパネルバックライト等の電力を増やさなければならず消費電力の増大を招くこととなる。また、クロストークの発生量が少ない場合、ユーザは、クロストークが生じていることすら把握できず、クロストークの発生に気付かないまま映像を視認し続けることとなってしまう。
【０００８】
そこで、本発明は、このような課題に鑑み、映像の光量を維持しつつ、クロストークを容易に抑制させることが可能な立体映像表示システム、立体映像表示装置および立体映像表示方法を提供することを目的としている。
【課題を解決するための手段】
【０００９】
上記課題を解決するために、立体映像を知覚させる立体映像表示装置と、立体映像を知覚する際にユーザが装着するシャッタ眼鏡とを備える、本発明の立体映像表示システムは、立体映像表示装置が、水平視差を有する右眼用映像と左眼用映像とを交互に表示する映像表示部と、シャッタ眼鏡の左右のシャッタそれぞれの開閉タイミングを制御する制御信号を出力する制御出力部と、制御信号に基づく、シャッタ眼鏡の左右のシャッタ両方を閉とする完全遮光期間に渡って発光部を発光させる発光制御部と、を備え、シャッタ眼鏡が、ユーザがシャッタ眼鏡を装着した場合、ユーザの右眼の前方に位置して光路を開閉する右眼用シャッタと、ユーザがシャッタ眼鏡を装着した場合、ユーザの左眼の前方に位置して光路を開閉する左眼用シャッタと、制御信号を取得する制御取得部と、取得された制御信号に応じて右眼用シャッタおよび左眼用シャッタの開閉タイミングを制御するシャッタ制御部と、ユーザ操作に応じて、シャッタ制御部によって制御される開閉タイミングのオフセットを設定するオフセット設定部と、を備えることを特徴とする。
【００１０】
上記課題を解決するために、立体映像を知覚させる立体映像表示装置と、立体映像を知覚する際にユーザが装着するシャッタ眼鏡とを備える、本発明の他の立体映像表示システムは、立体映像表示装置が、水平視差を有する右眼用映像と左眼用映像とを交互に表示する映像表示部と、シャッタ眼鏡の左右のシャッタそれぞれの開閉タイミングを制御する制御信号に基づく、シャッタ眼鏡の左右のシャッタ両方を閉とする完全遮光期間に渡って発光部を発光させ、さらに、発光させた光に制御信号を含ませる発光制御部と、を備え、シャッタ眼鏡が、ユーザがシャッタ眼鏡を装着した場合、ユーザの右眼の前方に位置して光路を開閉する右眼用シャッタと、ユーザがシャッタ眼鏡を装着した場合、ユーザの左眼の前方に位置して光路を開閉する左眼用シャッタと、発光部が発光する光を受光して検知する受光検知部と、検知された光に基づいて制御信号を導出する制御導出部と、導出された制御信号に応じて右眼用シャッタおよび左眼用シャッタの開閉タイミングを制御するシャッタ制御部と、ユーザ操作に応じて、シャッタ制御部によって制御される開閉タイミングのオフセットを設定するオフセット設定部と、を備えることを特徴とする。
【００１１】
上記課題を解決するために、本発明の立体映像表示装置は、水平視差を有する右眼用映像と左眼用映像とを交互に表示する映像表示部と、シャッタ眼鏡の左右のシャッタそれぞれの開閉タイミングを制御する制御信号を出力する制御出力部と、制御信号に基づく、シャッタ眼鏡の左右のシャッタ両方を閉とする完全遮光期間に渡って発光部を発光させる発光制御部と、を備えることを特徴とする。
【００１２】
上記課題を解決するために、本発明の他の立体映像表示装置は、水平視差を有する右眼用映像と左眼用映像とを交互に表示する映像表示部と、シャッタ眼鏡の左右のシャッタそれぞれの開閉タイミングを制御する制御信号に基づく、シャッタ眼鏡の左右のシャッタ両方を閉とする完全遮光期間に渡って発光部を発光させ、さらに、発光させた光に制御信号を含ませる発光制御部と、を備えることを特徴とする。
【００１３】
上記課題を解決するために、本発明の立体映像表示方法は、水平視差を有する右眼用映像と左眼用映像とを交互に表示し、シャッタ眼鏡の左右のシャッタそれぞれの開閉タイミングを制御する制御信号を出力し、制御信号に基づく、シャッタ眼鏡の左右のシャッタ両方を閉とする完全遮光期間に渡って発光部を発光させることを特徴とする。
【００１４】
上記課題を解決するために、本発明の他の立体映像表示方法は、水平視差を有する右眼用映像と左眼用映像とを交互に表示し、シャッタ眼鏡の左右のシャッタそれぞれの開閉タイミングを制御する制御信号に基づく、シャッタ眼鏡の左右のシャッタ両方を閉とする完全遮光期間に渡って発光部を発光させ、さらに、発光させた光に制御信号を含めることを特徴とする。
【発明の効果】
【００１５】
本発明によれば、映像の光量を維持しつつクロストークを容易に抑制させることが可能となる。
【図面の簡単な説明】
【００１６】
【図１】第１の実施形態における立体映像表示システムの概略的な接続関係を示した説明図である。
【図２】第１の実施形態における立体映像表示装置の概略的な機能を示した機能ブロック図である。
【図３】第１の実施形態におけるシャッタ眼鏡の概略的な機能を示した機能ブロック図である。
【図４】シャッタの開閉およびクロストークを説明するための説明図である。
【図５】シャッタの開閉およびクロストークを説明するための説明図である。
【図６】シャッタの開閉およびクロストークを説明するための説明図である。
【図７】第１の実施形態における発光部の発光タイミングを説明するための説明図である。
【図８】第１の実施形態における立体映像表示方法の全体的な流れを示したフローチャートである。
【図９】第２の実施形態における体映像表示システムの概略的な接続関係を示した説明図である。
【図１０】第２の実施形態における立体映像表示装置の概略的な機能を示した機能ブロック図である。
【図１１】第２の実施形態におけるシャッタ眼鏡の概略的な機能を示した機能ブロック図である。
【図１２】第２の実施形態における発光部の発光タイミングを説明するための説明図である。
【図１３】第２の実施形態における立体映像表示方法の全体的な流れを示したフローチャートである。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
（第１の実施形態：立体映像表示システム１００）
図１は、第１の実施形態における立体映像表示システム１００の概略的な接続関係を示した説明図である。図１に示すように、立体映像表示システム１００は、映像再生装置１０２と、立体映像表示装置１１０と、シャッタ眼鏡１２０とを含んで構成される。
【００１９】
映像再生装置１０２は、両眼視差を有する２つの映像データである立体映像データ（右眼用映像データおよび左眼用映像データ）を、サイドバイサイド方式、トップアンドボトム方式、ラインバイライン方式、フレームシーケンシャル方式等の立体映像を知覚させるための所定の方式で、立体映像表示装置１１０に出力する。
【００２０】
立体映像表示装置１１０は、例えば、プラズマパネル方式の表示装置であって、映像再生装置１０２から出力された立体映像データを、右眼用映像と左眼用映像とを１フレームごとに交互に表示しシャッタ眼鏡１２０を通じて視認させるフレームシーケンシャル方式で自体の映像表示部に表示する。
【００２１】
本実施形態において、立体映像表示装置１１０は、プラズマパネル方式としたが、かかる場合に限定されず、液晶パネル方式であってもよい。その場合、立体映像表示装置１１０は、例えば、右眼用映像と左眼用映像とを１フレームごとに交互に表示する１度書きの処理を用いてもよいし、右眼用映像と左眼用映像をそれぞれ２回ずつ連続して表示する２度書きの処理を用いてもよい。また、立体映像表示装置１１０は、その他、フレームシーケンシャル方式に対応する既存の様々な処理を適用できる。
【００２２】
ユーザ１３０がシャッタ眼鏡１２０を装着することで、シャッタ眼鏡１２０は、立体映像表示装置１１０とユーザ１３０の眼の間に位置し、立体映像表示装置１１０が表示する右眼用映像と左眼用映像のフレーム周期に同期した周期で、右眼用シャッタと左眼用シャッタを開閉する。
【００２３】
続いて、立体映像表示装置１１０およびシャッタ眼鏡１２０の具体的な構成について説明する。
【００２４】
（立体映像表示装置１１０）
図２は、第１の実施形態における立体映像表示装置１１０の概略的な機能を示した機能ブロック図である。図２に示すように、立体映像表示装置１１０は、データ取得部１５０と、バッファメモリ１５２と、表示データ生成部１５４と、映像表示部１５６と、制御出力部１５８と、発光制御部１６０と、発光部１６２とを含んで構成される。
【００２５】
データ取得部１５０は、立体映像を知覚させるための右眼用映像と左眼用映像を形成するデータである立体映像データ（右眼用映像データと左眼用映像データ）を、例えば映像再生装置１０２から取得する。
【００２６】
バッファメモリ１５２は、ＲＡＭ、フラッシュメモリ、ＨＤＤ等を含んで構成され、データ取得部１５０で取得された立体映像データを一時的に保持する。
【００２７】
表示データ生成部１５４は、バッファメモリ１５２から立体映像データを順次読み出し、フレームシーケンシャル方式の表示データを生成する。
【００２８】
映像表示部１５６は、例えば、プラズマパネルで構成され、表示データに基づいて、水平視差を有する右眼用映像と左眼用映像とを１フレームごとに交互に表示する。
【００２９】
制御出力部１５８は、表示データのフレーム周期に基づいて、シャッタ眼鏡１２０の左右のシャッタ（後述する右眼用シャッタ２２８と左眼用シャッタ２３０）それぞれの開閉タイミングを制御する制御信号を生成し、ＩｒＤＡ（Infrared Data Association）規格の赤外線等の無線通信を通じてシャッタ眼鏡１２０に出力する。また、制御出力部１５８は、制御信号を有線通信を通じてシャッタ眼鏡１２０に出力してもよい。
【００３０】
この制御信号は、例えば、シャッタ眼鏡１２０への伝送遅延や、シャッタ眼鏡１２０のシャッタの開閉の動作遅延を勘案し、遅延分前倒しにオフセットされたシャッタ眼鏡１２０のシャッタの開閉タイミングを示す。かかる制御信号によって、シャッタ眼鏡１２０の左右のシャッタ両方を閉とする完全遮光期間が特定される。完全遮光期間については後に詳述する。
【００３１】
発光制御部１６０は、制御信号に基づいて、完全遮光期間を導出し、その完全遮光期間に渡って発光部１６２を発光させる。
【００３２】
発光部１６２は、例えば、ＬＥＤ、豆電球、ネオンライト等で構成され、発光制御部１６０の制御に応じて可視光を発光する。
【００３３】
（シャッタ眼鏡１２０）
図３は、第１の実施形態におけるシャッタ眼鏡１２０の概略的な機能を示した機能ブロック図である。図３に示すように、シャッタ眼鏡１２０は、制御取得部２２０と、シャッタ制御部２２２と、操作部２２４と、オフセット設定部２２６と、右眼用シャッタ２２８と、左眼用シャッタ２３０とを含んで構成される。
【００３４】
制御取得部２２０は、制御出力部１５８で生成された制御信号を取得する。シャッタ制御部２２２は、制御取得部２２０が取得した制御信号に応じて右眼用シャッタ２２８および左眼用シャッタ２３０の開閉タイミングを制御する。
【００３５】
操作部２２４は、ユーザ１３０の操作入力を受け付ける。オフセット設定部２２６は、操作部２２４を通じたユーザ１３０の操作入力に応じて、シャッタ制御部２２２によって制御される開閉タイミングのオフセットを設定する。
【００３６】
右眼用シャッタ２２８は、ユーザ１３０がシャッタ眼鏡１２０を装着した場合、右眼の前方に位置して右眼に入射する光路を開閉する。左眼用シャッタ２３０は、ユーザ１３０がシャッタ眼鏡１２０を装着した場合、左眼の前方に位置して左眼に入射する光路を開閉する。
【００３７】
以上、立体映像表示装置１１０およびシャッタ眼鏡１２０の構成について説明した。続いて、シャッタの開閉処理について説明し、本実施形態において特徴的なタイミング調整処理について詳述する。
【００３８】
（シャッタ開閉処理）
図４〜図６は、シャッタの開閉およびクロストークを説明するための説明図である。図４（ａ）、（ｂ）は、プラズマパネル方式の場合、図５は、１度書きの処理を行う液晶パネル方式の場合、図６は、２度書きの処理を行う液晶パネル方式の場合をそれぞれ示す。以降の図において、Ｒは右眼用映像のフレームを、Ｌは左眼用映像のフレームを示す。
【００３９】
また、図４〜図６では、右眼用映像の信号の印加のタイミング（信号印加（Ｒ））、左眼用映像の信号の印加のタイミング（信号印加（Ｌ））、右眼用映像および左眼用映像の表示タイミング、右眼用シャッタの開閉タイミング、右眼が映像を視認するタイミング、左眼用シャッタの開閉タイミング、左眼が映像を視認するタイミングの関係を示す。
【００４０】
ここで、それぞれのタイミングは概略であり、実際には、例えば、図５、図６の液晶パネル方式の場合、信号印加から映像の表示までに遅延がある。また、クロストークを許容しシャッタを開いている期間を図４〜図６に示すよりも広くする場合もある。
【００４１】
はじめに、図４を用いて、プラズマパネル方式におけるシャッタの開閉およびクロストークについて説明する。例えば、図４（ｂ）に示すように、右眼用シャッタの開閉と左眼用シャッタの開閉とを同時に、かつ逆位相となるように行い、ユーザに、右眼には右眼用映像を左眼には左眼用映像をそれぞれ視認させるとする。
【００４２】
しかし、シャッタの開閉の周期と、映像表示部に表示される右眼用映像と左眼用映像のフレーム周期の位相が適切でなかったり、シャッタの開閉タイミングを制御する制御信号に対して、シャッタの開閉の動作速度が、シャッタ眼鏡の種類、個体差、劣化等によって十分でなかったりする場合、クロストークが発生してしまう。
【００４３】
例えば、右眼用シャッタを閉じるタイミングが遅くなり、右眼用映像の次の左眼用映像が表示されている期間に、右眼用シャッタが開いていると、ユーザは、右眼で、黒が表示される期間である映像ブランキング期間Ｂの黒い画面を挟んで、左眼用映像と右眼用映像とを続けて視認し、クロストークが発生してしまう。同様に、左眼についても左眼用シャッタを閉じるタイミングが遅くなるとクロストークが発生してしまう。
【００４４】
そこで、図４（ａ）に示すように、例えば、映像ブランキング期間Ｂに対応するタイミングにおいて、右眼用シャッタと左眼用シャッタを両方とも閉じる完全遮光期間Ｐｓを設け、クロストークを抑制する手段が考えられる。
【００４５】
それでも、右眼用シャッタを閉じるタイミングｘが、本来、完全遮光期間Ｐｓであるはずの期間（本来、右眼用シャッタを閉じてから次に左眼用シャッタを開けるはずのタイミング）を超えて遅延してしまうと、同様にクロストークが発生してしまう。
【００４６】
続いて、図５を用いて、１度書きの処理を行う液晶パネル方式におけるシャッタの開閉およびクロストークについて説明する。液晶パネル方式では、プラズマパネル方式と異なり、映像表示部において上部のラインから下部のラインに向かって順次、フレームが書き換えられていく。
【００４７】
そのため、右眼用映像と左眼用映像との遷移において、図５に示すように、右眼用映像の一部と左眼用映像の一部（例えば、映像表示部の上部には書き換えられた新しい右眼用映像のフレーム、映像表示部の下部には書き換えられる前の古い左眼用映像のフレーム）が同時に表示される遷移期間Ｂ’が存在する。この遷移期間Ｂ’の映像をユーザが視認すると、クロストークが発生してしまう。
【００４８】
続いて、図６を用いて、２度書きの処理を行う液晶パネル方式におけるシャッタの開閉およびクロストークについて説明する。この液晶パネル方式においても、１度書きの処理を行う液晶パネル方式と同様、図６に示すように、右眼用映像と左眼用映像との遷移において遷移期間Ｂ’が存在する。この遷移期間Ｂ’の映像をユーザが視認すると、クロストークが発生してしまう。
【００４９】
そこで、いずれの液晶パネル方式においても、遷移期間Ｂ’に対応するタイミングにおいて、完全遮光期間Ｐｓを設け、クロストークを抑制する手段が考えられる。しかし、プラズマパネル方式の場合と同様、シャッタの開閉の周期とフレーム周期の位相が適切でなかったり、シャッタの開閉の動作速度が十分でなかったりする場合、クロストークが発生してしまう。
【００５０】
プラズマパネル方式、２つの液晶パネル方式のいずれの方式においても、この問題は、完全遮光期間Ｐｓを長くすることで回避できる。しかし、ユーザの眼に届く光量が減るため映像が暗くなってしまう。この場合、光量を維持するにはパネルバックライト等の電力を増やさなければならず消費電力の増大を招く。
【００５１】
そこで、本実施形態のプラズマパネルを用いた立体映像表示装置１１０では、完全遮光期間Ｐｓの内側に映像ブランキング期間Ｂが入るように完全遮光期間Ｐｓを設定するタイミング調整処理が行われる。
【００５２】
（タイミング調整処理）
図７は、第１の実施形態における発光部１６２の発光タイミングを説明するための説明図である。図７では、右眼用映像の信号の印加のタイミング（信号印加（Ｒ））、左眼用映像の信号の印加のタイミング（信号印加（Ｌ））、右眼用映像および左眼用映像の表示タイミング、右眼用シャッタの開閉タイミング、右眼が映像を視認するタイミング、左眼用シャッタの開閉タイミング、左眼が映像を視認するタイミングに加え、さらに、発光部１６２の発光タイミングを示す。
【００５３】
上述したように、制御出力部１５８は、予めシャッタの開閉の動作の遅延分前倒しにオフセットされた開閉タイミングを示す制御信号を生成する。ここでは、制御出力部１５８は、例えば、図４（ａ）と同様、映像ブランキング期間Ｂと完全遮光期間Ｐｓとが一致するように、シャッタの開閉タイミングを制御する制御信号を生成するとする。
【００５４】
発光制御部１６０は、この制御信号と遅延分のオフセット量とに基づいて、遅延分オフセットする前の完全遮光期間Ｐｓ（完全遮光期間Ｐｓの開始タイミングおよび終了タイミング）を導出し、その完全遮光期間Ｐｓに渡って発光部１６２を発光させる。
【００５５】
すると、図７に示すように、映像ブランキング期間Ｂにおいて発光部１６２が点灯（発光）し、それ以外の期間において発光部１６２は消灯する。
【００５６】
映像ブランキング期間Ｂにおいて常に右眼用シャッタ２２８と左眼用シャッタ２３０の両方が閉じている場合（完全遮光期間Ｐｓの内側に映像ブランキング期間Ｂがある場合）、ユーザは、発光部１６２の光（以下、参照光Ｌｒと称す）を視認することはない。
【００５７】
一方、映像ブランキング期間Ｂにおいて右眼用シャッタ２２８と左眼用シャッタ２３０の少なくとも一方が開いている期間がある場合（完全遮光期間Ｐｓの外側に映像ブランキング期間Ｂがある場合）、ユーザは、参照光Ｌｒを視認することになる。
【００５８】
そして、ユーザは、シャッタ眼鏡１２０の操作部２２４を通じて、参照光Ｌｒが視認されなくなるように、右眼用シャッタ２２８と左眼用シャッタ２３０の開閉タイミングを調整する。
【００５９】
オフセット設定部２２６は、この操作部２２４を通じたユーザの操作入力（ユーザ操作）に応じ、シャッタ制御部２２２によって制御される開閉タイミングのオフセットを設定する。このオフセットは、右眼用シャッタ２２８を開くタイミングと閉じるタイミングおよび、左眼用シャッタ２３０を開くタイミングと閉じるタイミングの４つのタイミングそれぞれで独立して設定することができる。
【００６０】
また、例えば、右眼用シャッタ２２８を開くタイミングと閉じるタイミングとは同期して調整され、左眼用シャッタ２３０を開くタイミングと閉じるタイミングとは同期して調整されてもよい。
【００６１】
そして、ユーザが、参照光Ｌｒが視認されない範囲で、右眼用シャッタ２２８および左眼用シャッタ２３０の開いている時間が最大限長くなるように（参照光Ｌｒが視認されない境界となるように）、操作部２２４を通じてオフセット設定することで、クロストークを抑制しつつ、光量の減少を最小に抑えることが可能となる。
【００６２】
本実施形態では、制御出力部１５８は、完全遮光期間Ｐｓを映像ブランキング期間Ｂと一致するように制御信号を生成したが、かかる場合に限定されず、例えば、映像ブランキング期間Ｂを含み、映像ブランキング期間Ｂより長い期間を完全遮光期間Ｐｓとするように制御信号を生成してもよいし、映像ブランキング期間Ｂの一部を含み、映像ブランキング期間Ｂより短い期間を完全遮光期間Ｐｓとするように制御信号を生成してもよい。
【００６３】
また、本実施形態では、プラズマパネル方式の場合を例に挙げたが、上述した２つの液晶パネル方式にも適用できる。例えば、制御出力部が、図５や図６と同様、遷移期間Ｂ’と完全遮光期間Ｐｓとが一致するように、シャッタの開閉タイミングを制御する制御信号を生成したとする。発光制御部は、この制御信号とシャッタ眼鏡１２０のシャッタの開閉の動作の遅延分前倒しにするオフセット量とに基づいて、遅延分オフセットする前の完全遮光期間Ｐｓを導出し、その完全遮光期間Ｐｓに渡って発光部１６２を発光させる。ユーザは、発光部１６２から発光された参照光Ｌｒを視認したとき、クロストークが発生していると容易に把握できる。
【００６４】
液晶パネル方式を採用する場合、制御出力部は、遷移期間Ｂ’を含み、遷移期間Ｂ’より長い期間を完全遮光期間Ｐｓとするように制御信号を生成してもよいし、遷移期間Ｂ’の一部を含み、遷移期間Ｂ’より短い期間を完全遮光期間Ｐｓとするように制御信号を生成してもよい。
【００６５】
さらに、３度書きや４度書きの処理を行う液晶パネル方式や、その他の様々な表示方式を採用できる。いずれの表示方式であっても、発光制御部は、制御信号に示されるシャッタの開閉タイミングを用いて完全遮光期間Ｐｓを導出し、その完全遮光期間Ｐｓに渡って発光部を発光させることで、オフセット設定によってクロストークを容易に抑制させることができる。
【００６６】
（立体映像表示方法）
次に、上述した立体映像表示装置１１０を用いて、表示データを表示する立体映像表示方法を説明する。図８は、第１の実施形態における立体映像表示方法の全体的な流れを示したフローチャートである。図８（ａ）に示す処理は、立体映像表示装置１１０が表示データの表示を指示されている間、所定のフレーム周期で繰り返し実行される。また、図８（ｂ）に示す処理は、図８（ａ）の処理の並列処理として、図８（ａ）の処理のフレーム周期より短い周期で、例えば割込処理として繰り返し実行される。
【００６７】
図８（ａ）に示すように、データ取得部１５０は、立体映像データを取得する（Ｓ３００）。そして、表示データ生成部１５４は、フレームシーケンシャル方式の表示データを生成する（Ｓ３０２）。映像表示部１５６は、表示データに基づいて、水平視差を有する右眼用映像と左眼用映像とを１フレームごとに交互に表示する（Ｓ３０４）。
【００６８】
この映像表示処理と並列して、発光制御部１６０は、図８（ｂ）に示すように、完全遮光期間Ｐｓに位置しているか否かを判定する（Ｓ３２０）。完全遮光期間Ｐｓである場合（Ｓ３２０におけるＹＥＳ）、発光制御部１６０は発光部１６２に発光させる（Ｓ３２２）。完全遮光期間Ｐｓではない場合（Ｓ３２０におけるＮＯ）、そのまま処理を終了する。
【００６９】
かかる立体映像表示方法によっても、映像の光量を維持しつつ、クロストークを容易に抑制させることが可能となる。
【００７０】
（第２の実施形態）
上述した第１の実施形態では、制御出力部１５８が無線通信や有線通信によって制御信号をシャッタ眼鏡１２０に出力する立体映像表示システム１００について説明した。第２の実施形態では、制御出力部１５８を設けずとも、右眼用映像と左眼用映像のフレーム周期に同期した周期で、右眼用シャッタ２２８と左眼用シャッタ２３０を開閉できる立体映像表示システム４００について説明する。
【００７１】
（立体映像表示システム４００）
図９は、第２の実施形態における立体映像表示システム４００の概略的な接続関係を示した説明図である。図９に示すように、立体映像表示システム４００は、映像再生装置１０２と、立体映像表示装置４１０と、シャッタ眼鏡４２０とを含んで構成される。
【００７２】
第１の実施形態と同様、映像再生装置１０２は、立体映像データを所定の方式で立体映像表示装置４１０に出力する。立体映像表示装置４１０は、映像再生装置１０２から出力された立体映像データに基づく映像をフレームシーケンシャル方式で自体の映像表示部に表示する。ユーザ１３０がシャッタ眼鏡４２０を装着することで、シャッタ眼鏡４２０は、立体映像表示装置４１０とユーザ１３０の眼の間に位置し、立体映像表示装置４１０が表示する右眼用映像と左眼用映像のフレーム周期に同期した周期で、右眼用シャッタ２２８と左眼用シャッタ２３０を開閉する。
【００７３】
続いて、立体映像表示装置４１０およびシャッタ眼鏡４２０の具体的な構成について説明する。
【００７４】
（立体映像表示装置４１０）
図１０は、第２の実施形態における立体映像表示装置４１０の概略的な機能を示した機能ブロック図である。図１０に示すように、立体映像表示装置４１０は、データ取得部１５０と、バッファメモリ１５２と、表示データ生成部１５４と、映像表示部１５６と、発光制御部４３０と、発光部１６２とを含んで構成される。第１の実施形態における構成要素としてすでに述べたデータ取得部１５０と、バッファメモリ１５２と、表示データ生成部１５４と、映像表示部１５６と、発光部１６２とは、実質的に機能が同一なので重複説明を省略する。
【００７５】
発光制御部４３０は、制御信号に基づいて、シャッタ眼鏡４２０の左右のシャッタ両方を閉とする完全遮光期間Ｐｓを導出し、その完全遮光期間Ｐｓに渡って発光部１６２を発光させ、さらに、発光させた光（参照光Ｌｒ）に制御信号を含ませる（重畳させる）。
【００７６】
（シャッタ眼鏡４２０）
図１１は、第２の実施形態におけるシャッタ眼鏡４２０の概略的な機能を示した機能ブロック図である。図１１に示すように、シャッタ眼鏡４２０は、受光検知部４５０と、制御導出部４５２と、シャッタ制御部２２２と、操作部２２４と、オフセット設定部２２６と、右眼用シャッタ２２８と、左眼用シャッタ２３０とを含んで構成される。第１の実施形態における構成要素としてすでに述べたシャッタ制御部２２２と、操作部２２４と、オフセット設定部２２６と、右眼用シャッタ２２８と、左眼用シャッタ２３０とは、実質的に機能が同一なので重複説明を省略する。
【００７７】
受光検知部４５０は、立体映像表示装置４１０の発光部１６２が発光する光（参照光Ｌｒ）を受光して検知する。制御導出部４５２は、参照光Ｌｒに基づいて制御信号を導出する。
【００７８】
以上、立体映像表示装置４１０およびシャッタ眼鏡４２０の構成について説明した。続いて、本実施形態において特徴的な、発光制御処理について詳述する。
【００７９】
（発光制御処理）
発光制御部４３０は、発光部１６２を完全遮光期間Ｐｓに渡って発光させつつ、完全遮光期間Ｐｓ内で参照光Ｌｒを時分割で点滅させる。参照光Ｌｒを点滅させることで、参照光Ｌｒに制御信号を含ませる。
【００８０】
図１２は、第２の実施形態における発光部１６２の発光タイミングを説明するための説明図である。図１２に示すように、参照光Ｌｒは、完全遮光期間Ｐｓ内で点滅する。ここでは、参照光Ｌｒが点灯している期間が長い期間ｘと、参照光Ｌｒが点灯している期間が短い期間ｙとで、制御信号を表している。
【００８１】
図１２において、期間ｘが先にあり、期間ｙが後となる場合、その映像ブランキング期間Ｂの次のフレームは右眼用映像であり、左眼用シャッタ２３０は閉じたまま、右眼用シャッタ２２８を開く制御信号を示す。
【００８２】
また、期間ｙが先にあり、期間ｘが後となる場合、その映像ブランキング期間Ｂの次のフレームは左眼用映像であり、右眼用シャッタ２２８は閉じたまま、左眼用シャッタ２３０を開く制御信号を示す。
【００８３】
例えば、制御導出部４５２は、映像ブランキング期間Ｂにおいて、受光検知部４５０が、短い期間ｙを超えて参照光Ｌｒを受光している、即ち、長い期間ｘであると判断した時点で、次のフレームは右眼用映像であると判断し、現在の完全遮光期間Ｐｓの後に、左眼用シャッタ２３０は閉じたまま、右眼用シャッタ２２８を開くようにシャッタ制御部２２２に指示する。
【００８４】
また、制御導出部４５２は、映像ブランキング期間Ｂにおいて、受光検知部４５０が短い期間ｙで参照光Ｌｒを受光しなくなったと判断した時点で、次のフレームは、左眼用映像であると判断し、現在の完全遮光期間Ｐｓの後に、右眼用シャッタ２２８は閉じたまま、左眼用シャッタ２３０を開くようにシャッタ制御部２２２に指示する。
【００８５】
さらに、制御導出部４５２は、右眼用シャッタ２２８と左眼用シャッタ２３０のいずれに対しても、シャッタを開く指示をシャッタ制御部２２２に行った後、所定時間経過すると、シャッタを閉じる指示をシャッタ制御部２２２に行う。
【００８６】
こうして、立体映像表示システム４００では、無線通信や有線通信等の専用の機能部を設けずとも、シャッタの開閉タイミングを制御する制御信号を、参照光Ｌｒに含めることが可能となる。
【００８７】
図１２に示す参照光Ｌｒの波形は一例であり、制御信号を含めることができれば、図１２とは異なる波形、例えば、デジタルのデータ列によって左右を示す波形等の参照光Ｌｒを用いてもよいことは言うまでもない。
【００８８】
そして、上述した第１の実施形態と同様、本実施形態のシャッタ眼鏡４２０でも、オフセット設定部２２６は、操作部２２４を通じたユーザの操作入力に応じて、シャッタ制御部２２２によって制御される開閉タイミングのオフセットを設定する。
【００８９】
（立体映像表示方法）
次に、上述した立体映像表示装置４１０を用いて、表示データを表示する立体映像表示方法を説明する。図１３は、第２の実施形態における立体映像表示方法の全体的な流れを示したフローチャートである。第１の実施形態と同様、図１３（ａ）に示す処理は、立体映像表示装置４１０が表示データの表示を指示されている間、所定のフレーム周期で繰り返し実行され、図１３（ｂ）に示す処理は、図１３（ａ）の処理の並列処理として、図１３（ａ）の処理のフレーム周期より短い周期で、例えば、割込処理として繰り返し実行される。
【００９０】
第１の実施形態における立体映像表示方法と同様、図１３（ａ）に示す映像表示処理と並列して、発光制御部４３０は、図１３（ｂ）に示すように、完全遮光期間Ｐｓに位置しているか否かを判定する（Ｓ３２０）。完全遮光期間Ｐｓではない場合（Ｓ３２０におけるＮＯ）、そのまま処理を終了する。
【００９１】
完全遮光期間Ｐｓである場合（Ｓ３２０におけるＹＥＳ）、発光制御部４３０は、発光部１６２に発光させる期間、例えば、上述した期間ｘや期間ｙに含まれるか否かを判定する（Ｓ６２０）。発光期間である場合（Ｓ６２０におけるＹＥＳ）、発光制御部４３０は発光部１６２を発光させる。発光期間でない場合（Ｓ６２０におけるＮＯ）、そのまま処理を終了する。
【００９２】
かかる立体映像表示方法によっても、映像の光量を維持しつつ、クロストークを容易に抑制させることが可能となる。
【００９３】
第１の実施形態において、発光制御部１６０は、発光部１６２に、完全遮光期間Ｐｓに発光させる。そしてユーザが、操作部２２４を通じて、参照光Ｌｒが視認されなくなるタイミングに、シャッタの開閉タイミングのオフセットを設定することで、シャッタ眼鏡１２０は、映像の光量を無駄に減少させることなくクロストークを排除できる。
【００９４】
第２の実施形態の立体映像表示システム４００では、第１の実施形態の立体映像表示システム１００と同様、ユーザは、参照光Ｌｒが視認されなくなるようにシャッタの開閉タイミングをオフセットすることによってクロストークを排除できる。さらに、立体映像表示システム４００の立体映像表示装置４１０は、発光部１６２に発光させる光の、例えば、点滅によって、シャッタ眼鏡４２０の開閉タイミングを制御する制御信号を示す。このように、立体映像表示装置４１０は、発光部１６２に制御信号を送信する機能も担わせることで、発光部１６２とは別に制御出力部１５８を設ける必要が無く、部品点数を削減して製造コストを抑制できる。
【００９５】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００９６】
例えば、上述した実施形態では、発光制御部１６０、４３０は、制御信号に基づいて完全遮光期間Ｐｓを導出するとしたが、かかる場合に限定されず、予め、立体映像表示装置１１０、４１０の映像表示特性から映像ブランキング期間Ｂを導出しておき、この映像ブランキング期間Ｂを完全遮光期間Ｐｓとして、発光部１６２を発光させてもよい。
【００９７】
なお、本明細書の立体映像表示方法の各工程は、必ずしもフローチャートとして記載された順序に沿って時系列に処理する必要はなく、並列的あるいはサブルーチンによる処理を含んでもよい。
【産業上の利用可能性】
【００９８】
本発明は、シャッタ眼鏡を通して立体映像を知覚させる立体映像表示システム、立体映像表示装置および立体映像表示方法に利用することができる。
【符号の説明】
【００９９】
１００、４００  …立体映像表示システム
１１０、４１０  …立体映像表示装置
１２０、４２０  …シャッタ眼鏡
１５８  …制御出力部
１６０、４３０  …発光制御部
１６２  …発光部
２２０  …制御取得部
２２２  …シャッタ制御部
２２６  …オフセット設定部
２２８  …右眼用シャッタ
２３０  …左眼用シャッタ
４５０  …受光検知部
４５２  …制御導出部
【図１】
2012231212.tif 000003
【図２】
2012231212.tif 000004
【図３】
2012231212.tif 000005
【図４】
2012231212.tif 000006
【図５】
2012231212.tif 000007
【図６】
2012231212.tif 000008
【図７】
2012231212.tif 000009
【図８】
2012231212.tif 000010
【図９】
2012231212.tif 000011
【図１０】
2012231212.tif 000012
【図１１】
2012231212.tif 000013
【図１２】
2012231212.tif 000014
【図１３】
2012231212.tif 000015